(57)【要約】【課題】  受信器の良好な受信性能をより低コストで実現できるデジタル衛星放送受信用ＩＣを提供する。【解決手段】  ステージ２に搭載されたチップ１と、このチップ１とＡｕワイヤ４を介して電気的に接続される複数の端子を備えた端子リード５と、チップ１と端子リード５のワイヤ接続部とを覆うモールド樹脂部３とを備えてなるデジタル衛星放送受信用ＩＣにおいて、前記チップ１が金属ケース６に収納されている。【選択図】  図１
2005136209.tif 000002
【特許請求の範囲】
【請求項１】
ステージに搭載されたチップと、このチップと金属ワイヤを介して電気的に接続される複数の端子を備えた端子リードと、チップに端子リードのワイヤ接続部とを覆うモールド樹脂部とを備えてなるデジタル衛星放送受信用集積回路において、
前記チップが導電性を有するケースに収納されていることを特徴とするデジタル衛星放送受信用集積回路。
【請求項２】
前記ケースが、モールド樹脂部内部に封入されている請求項１に記載のデジタル衛星放送受信用集積回路。
【請求項３】
前記ケースが、モールド樹脂部の上部において、モールド樹脂部から露出した状態で配備されている請求項２に記載のデジタル衛星放送受信用集積回路。
【請求項４】
前記チップがミキサー回路を備えており、前記ケースが、ミキサー回路部分を包括するように配備されている請求項２に記載のデジタル衛星放送受信用集積回路。
【請求項５】
前記チップが電圧制御発振回路を備えており、前記ケースが、電圧制御発振回路部分を包括するように配備されている請求項２に記載のデジタル衛星放送受信用集積回路。
【請求項６】
前記ケースが、モールド樹脂部表面に装着されている請求項１に記載のデジタル衛星放送受信用集積回路。
【請求項７】
前記ケースが、複数の端子のうちの接地用端子に電気的に接続されている請求項１に記載のデジタル衛星放送受信用集積回路。
【請求項８】
前記ケースが、モールド樹脂部内部に封入されており、かつ、モールド樹脂部の底部においてはモールド樹脂部から露出した状態で配備されている請求項１に記載のデジタル衛星放送受信用集積回路。
【請求項９】
前記ケースの各面が格子状である請求項１記載のデジタル衛星放送受信用集積回路。
【請求項１０】
前記ケースが、端子リードを包括するように配備されている請求項１に記載のデジタル衛星放送受信用集積回路。
【請求項１１】
前記ケースが端子を備えており、この端子がモールド樹脂部の底面から突出した状態で配備されている請求項１０に記載のデジタル衛星放送受信用集積回路。
【発明の詳細な説明】
【技術分野】
【０００１】
本発明は、デジタル衛星放送受信用集積回路（以下、「集積回路」を単に「ＩＣ」という）の中で、特に、チップを金属ケースに収納することによって、外来ノイズ等を遮断して受信妨害を受けにくくすることにより、より良好な受信性能を確保できるようにしたデジタル衛星放送受信用ＩＣに関する。
【背景技術】
【０００２】
現在のデジタル衛星放送受信用ＩＣ（例えば、ダウンコンバータＩＣ、ＱＰＳＫ（Ｑｕａｒｄｒａｔｕｒｅ ｐｈａｓｅ ｓｈｉｆｔ ｋｅｙｉｎｇ ）復調ＩＣ等）は、受信器内部においては、フロントエンドユニットと呼ばれる装置に内蔵された状態でユニットとして搭載される場合と、オンボードＩＣとして受信器のマザーボードに直接実装される場合とがある。
【０００３】
前者の場合（即ち、ユニットとして搭載される場合）、ユニットの回路基板は通常金属製のシールドケースに収納されているため、外来ノイズ等の妨害電波に対して遮断効果があり、回路部品は受信妨害を受けにくい。しかしながら、後者の場合（即ち、マザーボードに直接実装される場合）、回路部品は基本的に剥き出しの状態となるため、外来ノイズ等の妨害電波に対して遮断効果が無く、受信妨害を受けやすくなる。また、後者の場合、妨害電波対策として、デジタル衛星放送受信用ＩＣに外付けでシールドカバーを被せるという手段が用いられることがある（例えば、特許文献１参照）が、部品点数および製造工程が増えることによって受信器のコストアップの要因となる。
【０００４】
次に、従来のデジタル衛星放送受信用ＩＣの一例について説明する。
【０００５】
図１２は、従来のデジタル衛星放送受信用ＩＣの一例を示す断面図である。
このデジタル衛星放送受信用ＩＣは、ステージ１０２に搭載されたチップ１０１と、このチップ１０１と複数の金属ワイヤとしてのＡｕ（金）ワイヤ１０４を介して電気的に接続される複数の端子を備えた端子リード１０５と、チップ１０１と端子リード１０５のワイヤ接続部とを覆うモールド樹脂部１０３とを備えている。
さらに、デジタル衛星放送受信用ＩＣのチップ内部の回路ブロック構成の一例について説明する。
【０００６】
図１３は、従来のデジタル衛星放送受信用ＩＣのチップ内部の回路ブロック構成の一例を示すブロック図である。
【０００７】
このデジタル衛星放送受信用ＩＣにおいては、ＲＦ（Ｒａｄｉｏ  Ｆｒｅｑｅｎｃｙ）信号入力端子１１２から入力されたＲＦ信号は、ＲＦ信号増幅器１１８で増幅され、可変利得増幅器１１９によってレベル調整された後に２分配され、各々ミキサー回路１２１へ入力される。さらに、可変利得増幅器１１９の利得は、ＡＧＣ（Ａｕｔｏｍａｔｉｃ  ｇａｉｎ  ｃｏｎｔｒｏｌ）入力端子１１５に入力された電圧信号に基づいてＡＧＣ制御回路１２０によって生成されたＡＧＣ制御用電圧信号によって制御される。
【０００８】
一方、電圧制御発振（ＶＣＯ：Ｖｏｌｔａｇｅ  Ｃｏｎｔｒｏｌｌｅｄ  Ｏｓｃｉｌｌａｔｏｒ）回路１２２によって生成された発振信号は、ＰＬＬ（Ｐｈａｓｅ  ｌｏｃｋｅｄ  Ｌｏｏｐ）回路１２３およびＬＰＦ（Ｌｏｗ  ｐａｓｓ  ｆｉｌｔｅｒ）１２４によって周波数制御されてローカル信号となる。ＰＬＬ回路１２３で制御する周波数は、データ入力端子１１６およびクロック入力端子１１７から入力されるデータおよびクロックによって設定される。ローカル信号は２分配されて、一方が９０°移相器１２５によって移相が９０°ずれた信号となり、各々ミキサー回路１２１へ入力され、前述のＲＦ信号とミキシングされ、周波数がダウンコンバートされてベースバンド周波数となり、Ｉベースバンド信号とＱベースバンド信号として各々出力される。これらＩベースバンド信号とＱベースバンド信号とは、各々ベースバンド増幅器１２６で増幅された後、Ｉ出力端子１１３とＱ出力端子１１４とから各々出力される。
【０００９】
ここで、ミキサー回路１２１に外来ノイズが入った場合、このノイズもＲＦ信号とともにミキシングされるため、出力信号にノイズ成分が発生し、受信障害を引き起こす要因となる。
【００１０】
また、ＶＣＯ回路１２２に外来ノイズが入った場合、このノイズが原因となってＶＣＯ回路１２２で生成されるローカル信号にノイズ成分が発生し、ノイズ成分が発生したローカル信号がミキサー回路１２１によってＲＦ信号とミキシングされるため、出力信号にノイズ成分が発生し、受信障害を引き起こす要因となる。
【特許文献１】実開平２−１００３２１号公報
【発明の開示】
【発明が解決しようとする課題】
【００１１】
上述したように従来のデジタル衛星放送受信用ＩＣでは、デジタル衛星放送受信用ＩＣをオンボードＩＣとして使用する場合、外来ノイズ等の妨害電波に対して遮断効果が無く、受信妨害を受けやすくなり、受信器として良好な受信性能を確保することができないといった問題があった。
【００１２】
また、妨害電波対策としてデジタル衛星放送受信用ＩＣに外付けでシールドカバーを被せるという手段を用いた場合には、部品点数および製造工程が増えることによって受信器のコストアップが生じるといった問題があった。
【００１３】
本発明は係る実情に鑑みてなされたもので、その目的は、受信器の良好な受信性能をより低コストで実現できるデジタル衛星放送受信用ＩＣを提供することにある。
【課題を解決するための手段】
【００１４】
上記課題を解決するため、本発明のデジタル衛星放送受信用ＩＣは、ステージに搭載されたチップと、このチップと金属ワイヤを介して電気的に接続される複数の端子を備えた端子リードと、チップに端子リードのワイヤ接続部とを覆うモールド樹脂部とを備えてなるデジタル衛星放送受信用ＩＣにおいて、前記チップが金属ケースに収納されているので、妨害電波による受信妨害を受けにくくすることができ、受信性能が良好で低コストの衛星放送受信装置を提供することができる。
【００１５】
また、上記構造において、前記ケースがモールド樹脂部内部に封入されていることにより、受信性能が良好で低コストの衛星放送受信装置を提供することができる。また、前記ケースがモールド樹脂部の上部においてモールド樹脂部から露出した状態で配備されている場合には、さらに、デジタル衛星放送受信用ＩＣの放熱効果を高めることができる。また、前記チップがミキサー回路を備えており、前記ケースがミキサー回路部分を包括するように配備されている場合には、さらに、金属ケースがより小型になるため、ケース材料を節約できる。この形態は、特に、デジタル衛星放送受信用ＩＣの特性が、ミキサー回路部分が外来ノイズの影響を受けやすい特性となっている場合に適用されるものである。また、前記チップがＶＣＯ回路を備えており、前記ケースがＶＣＯ回路部分を包括するように配備されている場合には、さらに、金属ケースがより小型になるため、ケース材料を節約できる。この形態は、特に、デジタル衛星放送受信用ＩＣの特性が、ＶＣＯ回路部分が外来ノイズの影響を受けやすい特性となっている場合に有効なものである。
【００１６】
また、上記構造において、前記ケースが、モールド樹脂部表面に装着されていることにより、受信性能が良好で低コストの衛星放送受信装置を提供することができる。
【００１７】
また、上記構造において、前記ケースが、複数の端子のうちのＧＮＤ用端子に電気的に接続されていることにより、受信性能が良好で低コストの衛星放送受信装置を提供することができるとともに、さらに、外来ノイズ等の遮断効果を高めることができる。
【００１８】
また、上記構造において、前記ケースが、モールド樹脂部内部に封入されており、かつ、モールド樹脂部の底部においてはモールド樹脂部から露出した状態で配備されていることにより、デジタル衛星放送受信用ＩＣを実装する基板のＧＮＤ用パターンにケースを電気的に接続することができるので、受信性能が良好で低コストの衛星放送受信装置を提供することができるとともに、さらに、外来ノイズ等の遮断効果を高めることができる。
【００１９】
また、上記構造において、前記ケースの各面が格子状であることにより、受信性能が良好で低コストの衛星放送受信装置を提供することができるとともに、さらに、金属ケースがより小型になるため、ケース材料を節約できる。この形態は、特に、デジタル衛星放送受信用ＩＣの特性が、ミキサー回路部分が外来ノイズの影響を受けやすい特性となっている場合に有効なものである。
【００２０】
また、上記構造において、前記ケースが、端子リードを包括するように配備されていることにより、受信性能が良好で低コストの衛星放送受信装置を提供することができるとともに、さらに、デジタル衛星放送受信用ＩＣの端子リードからの外来ノイズの入射を抑制することにより外来ノイズ等の遮断効果を高めることができる。さらに、前記ケースが端子を備えており、この端子がモールド樹脂部の底面から突出した状態で配備されている場合には、デジタル衛星放送受信用ＩＣを実装する基板のＧＮＤ用パターンにケースの突起部を電気的に接続することができるので、受信性能が良好で低コストの衛星放送受信装置を提供することができる。また、デジタル衛星放送受信用ＩＣの端子リードからの外来ノイズの入射を抑制するとともに、ケースの電位を安定なＧＮＤ電位にすることができるので、外来ノイズ等の遮断効果をより高めることができる。
【発明の効果】
【００２１】
以上説明したように本発明のデジタル衛星放送受信用集積回路によれば、チップ周囲に導電性を有するケースを備えた構造としたので、例えば携帯電話信号などの外来ノイズによる受信障害の発生を抑制することが可能となる。これにより、外来ノイズの多い受信環境においても受信障害が発生しにくく、より広範な地域・環境に対応できる高性能のデジタル衛星放送受信装置を提供することができる。
また、本発明のデジタル衛星放送受信用集積回路をオンボード用として直接受信器のマザーボードに実装して使用することが可能となり、妨害電波対策用のシールドカバー等の外付け部品を省略できるため、受信器の低コスト化を実現することができる。
【発明を実施するための最良の形態】
【００２２】
以下、本発明の実施の形態について、図面を参照して説明する。
【実施例１】
【００２３】
以下、本発明の実施例１を図面を参照して説明する。
【００２４】
図１は、本発明のデジタル衛星放送受信用ＩＣの実施例１を示す断面図である。
【００２５】
このデジタル衛星放送受信用ＩＣは、ステージ２に搭載されたチップ１と、このチップ１に複数のＡｕワイヤ４を介して電気的に接続される複数の端子を備えた端子リード５と、チップ１と端子リード５のワイヤ接続部とを覆うモールド樹脂部３と、チップ１を収納する、導電性を有するケースとしての金属ケース６とを備えている。
【００２６】
この金属ケース６は、チップ１と、ステージ２と、モールド樹脂部３と、Ａｕワイヤ４と、端子リード５のＡｕワイヤ接続部とを包括している。さらに、金属ケース６のうち、端子リード５に接する部分は、絶縁体７で構成されているため、金属ケース６と端子リード５とを電気的に絶縁することができる。
【００２７】
本実施例のデジタル衛星放送受信用ＩＣによれば、このような金属ケース６を備えているので、妨害電波による受信妨害を受けにくくすることができ、受信性能が良好で低コストの衛星放送受信装置を提供することができる。
【実施例２】
【００２８】
以下、本発明の実施例２を図面を参照して説明する。
【００２９】
図２は、本発明のデジタル衛星放送受信用ＩＣの実施例２を示す断面図である。
【００３０】
このデジタル衛星放送受信用ＩＣは、金属ケース６が、モールド樹脂部３内部に封入されているといった点で実施例１のデジタル衛星放送受信用ＩＣと異なっている。即ち、金属ケース６は、チップ１と、ステージ２と、モールド樹脂部３と、Ａｕワイヤ４の一部分とを包括しており、さらに、全体が金属で構成されている。
【００３１】
本実施例のデジタル衛星放送受信用ＩＣによれば、このような金属ケース６を備えているので、妨害電波による受信妨害を受けにくくすることができ、受信性能が良好で低コストの衛星放送受信装置を提供することができる。
【実施例３】
【００３２】
以下、本発明の実施例３を図面を参照して説明する。
【００３３】
図３は、本発明のデジタル衛星放送受信用ＩＣの実施例３を示す断面図である。
【００３４】
このデジタル衛星放送受信用ＩＣは、金属ケース６が、モールド樹脂部３の上部において、モールド樹脂部３から露出した状態で配備されているといった点で実施例２のデジタル衛星放送受信用ＩＣと異なっている。即ち、金属ケース６の上面の断面形状は凸形状となっており、この上面の凸部がモールド樹脂部３から突出することにより、金属ケース６の上面の一部がモールド樹脂部３から露出した状態となっている。
【００３５】
本実施例のデジタル衛星放送受信用ＩＣによれば、このような金属ケース６を備えているので、妨害電波による受信妨害を受けにくくすることができ、受信性能が良好で低コストの衛星放送受信装置を提供することができるとともに、さらに、デジタル衛星放送受信用ＩＣの放熱効果を高めることができる。
【実施例４】
【００３６】
以下、本発明の実施例４を図面を参照して説明する。
【００３７】
図４は、本発明のデジタル衛星放送受信用ＩＣの実施例４を示す断面図である。
【００３８】
このデジタル衛星放送受信用ＩＣは、金属ケース６が、チップ１を構成しているミキサー回路９部分のみを包括するように配備されているといった点で実施例２のデジタル衛星放送受信用ＩＣと異なっている。
【００３９】
本実施例のデジタル衛星放送受信用ＩＣによれば、このような金属ケース６を備えているので、妨害電波による受信妨害を受けにくくすることができ、受信性能が良好で低コストの衛星放送受信装置を提供することができるとともに、さらに、金属ケース６がより小型になるため、ケース材料を節約できる。この形態は、特に、デジタル衛星放送受信用ＩＣの特性が、ミキサー回路部分が外来ノイズの影響を受けやすい特性となっている場合に有効なものである。
【実施例５】
【００４０】
以下、本発明の実施例５を図面を参照して説明する。
【００４１】
図５は、本発明のデジタル衛星放送受信用ＩＣの実施例５を示す断面図である。
【００４２】
このデジタル衛星放送受信用ＩＣは、金属ケース６が、チップ１を構成しているＶＣＯ回路１０部分のみを包括するように配備されているといった点で実施例２のデジタル衛星放送受信用ＩＣと異なっている。
【００４３】
本実施例のデジタル衛星放送受信用ＩＣによれば、このような金属ケース６を備えているので、妨害電波による受信妨害を受けにくくすることができ、受信性能が良好で低コストの衛星放送受信装置を提供することができるとともに、さらに、金属ケース６がより小型になるため、ケース材料を節約できる。この形態は、特に、デジタル衛星放送受信用ＩＣの特性が、ＶＣＯ回路部分が外来ノイズの影響を受けやすい特性となっている場合に有効なもるである。
【実施例６】
【００４４】
以下、本発明の実施例６を図面を参照して説明する。
【００４５】
図６は、本発明のデジタル衛星放送受信用ＩＣの実施例６を示す断面図である。
【００４６】
このデジタル衛星放送受信用ＩＣは、金属ケース６が、モールド樹脂部３表面に装着されているといった点で実施例１のデジタル衛星放送受信用ＩＣと異なっている。即ち、金属ケース６は、モールド樹脂部３のうち、端子リード５よりも上側の部分を覆う部分６ａと、端子リード５よりも下側の部分を覆う部分６ｂとから構成されている。
【００４７】
本実施例のデジタル衛星放送受信用ＩＣによれば、このような金属ケース６を備えているので、受信性能が良好で低コストの衛星放送受信装置を提供することができる。
【実施例７】
【００４８】
以下、本発明の実施例７を図面を参照して説明する。
【００４９】
図７は、本発明のデジタル衛星放送受信用ＩＣの実施例７を示す断面図である。
【００５０】
このデジタル衛星放送受信用ＩＣは、金属ケース６が、端子リード５を構成する複数の端子のうちのＧＮＤ用端子５ａに電気的に接続されているといった点で実施例２のデジタル衛星放送受信用ＩＣと異なっている。
【００５１】
本実施例のデジタル衛星放送受信用ＩＣによれば、このような金属ケース６を備えているので、受信性能が良好で低コストの衛星放送受信装置を提供することができるとともに、さらに、外来ノイズ等の遮断効果を高めることができる。
【００５２】
なお、金属ケース６の形状や配置については前述した形態に限定されるものではなく、実施例１、３〜６に示したデジタル衛星放送受信用ＩＣの金属ケース６をＧＮＤ用端子５ａに電気的に接続した場合においても同様の効果が得られる。
【実施例８】
【００５３】
以下、本発明の実施例８を図面を参照して説明する。
【００５４】
図８は、本発明のデジタル衛星放送受信用ＩＣの実施例８を示す断面図である。
【００５５】
このデジタル衛星放送受信用ＩＣは、金属ケース６が、モールド樹脂部３内部に封入されており、かつ、モールド樹脂部３の底部においてはモールド樹脂部３から露出した状態で配備されている。即ち、金属ケース６の底面の断面形状は凸形状となっており、この底面の凸部がモールド樹脂部３から突出することにより、金属ケース６の底面の一部がモールド樹脂部３から露出した状態となっているといった点で実施例１のデジタル衛星放送受信用ＩＣと異なっている。
【００５６】
本実施例のデジタル衛星放送受信用ＩＣによれば、このような金属ケース６を備えているので、デジタル衛星放送受信用ＩＣを実装する基板のＧＮＤ用パターンに金属ケース６を電気的に接続することができるので、受信性能が良好で低コストの衛星放送受信装置を提供することができるとともに、さらに、外来ノイズ等の遮断効果を高めることができる。
【実施例９】
【００５７】
以下、本発明の実施例９を図面を参照して説明する。
【００５８】
図９は、本発明のデジタル衛星放送受信用ＩＣの実施例９を示す断面図である。
【００５９】
このデジタル衛星放送受信用ＩＣは、金属ケース６の各面が格子状であるといった点で実施例２のデジタル衛星放送受信用ＩＣと異なっている。
【００６０】
本実施例のデジタル衛星放送受信用ＩＣによれば、このような金属ケース６を備えているので、受信性能が良好で低コストの衛星放送受信装置を提供することができるとともに、さらに、金属ケース６がより小型になるため、ケース材料を節約できる。この形態は、特に、デジタル衛星放送受信用ＩＣの特性が、ミキサー回路部分が外来ノイズの影響を受けやすい特性となっている場合に有効なものである。
【００６１】
なお、金属ケース６の配置については前述した形態に限定されるものではなく、実施例１、３〜８に示したデジタル衛星放送受信用ＩＣの金属ケース６の各面が格子状である場合においても同様の効果が得られる。
【実施例１０】
【００６２】
以下、本発明の実施例１０を図面を参照して説明する。
【００６３】
図１０は、本発明のデジタル衛星放送受信用ＩＣの実施例１０を示す断面図である。
【００６４】
このデジタル衛星放送受信用ＩＣは、金属ケース６が端子リード５を包括するように配備されているといった点で実施例２のデジタル衛星放送受信用ＩＣと異なっている。即ち、この金属ケース６は、チップ１と、ステージ２と、モールド樹脂部３と、Ａｕワイヤ４と、端子リード５とを包括しているとともに、底面が開口部となっている。この開口部において、端子リード５は、各端子の一部分がモールド樹脂部３から露出した状態になるように配置されているため、外部との電気的な接続が可能となっている。
【００６５】
本実施例のデジタル衛星放送受信用ＩＣによれば、このような金属ケース６を備えているので、受信性能が良好で低コストの衛星放送受信装置を提供することができるとともに、さらに、デジタル衛星放送受信用ＩＣの端子リード５からの外来ノイズの入射を抑制することにより外来ノイズ等の遮断効果を高めることができる。
【００６６】
なお、本実施例は、端子リードの各端子がモールド樹脂部から外部へ突出しないタイプ（例えば、ＱＦＮ（Ｑｕａｄ  ｆｌａｔ  ｎｏｎ‐ｌｅａｄｅｄ）パッケージ等）のデジタル衛星放送受信用ＩＣに金属ケース６を配備した場合の形態について説明したものである。
【実施例１１】
【００６７】
以下、本発明の実施例１１を図面を参照して説明する。
【００６８】
図１１は、本発明のデジタル衛星放送受信用ＩＣの実施例１１を示す断面図である。
【００６９】
このデジタル衛星放送受信用ＩＣは、金属ケース６の下端部に２つの端子６ａ，６ｂを備えており、これら端子６ａ，６ｂがモールド樹脂部３から突出した状態で配備されているといった点で実施例１０のデジタル衛星放送受信用ＩＣと異なっている。即ち、この金属ケース６左側側面（図１１において）の下端部には左方向に突出した突起部６ａが形成されており、金属ケース６の右側側面（図１１において）の下端部には右方向に突出した突起部６ｂが形成されている。
【００７０】
本実施例のデジタル衛星放送受信用ＩＣによれば、デジタル衛星放送受信用ＩＣを実装する基板のＧＮＤ用パターンに金属ケース６の突起部を電気的に接続することができるので、受信性能が良好で低コストの衛星放送受信装置を提供することができる。また、デジタル衛星放送受信用ＩＣの端子リードからの外来ノイズの入射を抑制するとともに、ケースの電位を安定なＧＮＤ電位にすることができるので、外来ノイズ等の遮断効果をより高めることができる。
【産業上の利用可能性】
【００７１】
本発明のデジタル衛星放送受信用ＩＣは、デジタル衛星放送受信用のＳｅｔ  Ｔｏｐ  Ｂｏｘ（セットトップボックス）またはＢＳ（Ｂｒｏａｄｃａｓｔｉｎｇ  Ｓａｔｅｌｌｉｔｅ）内蔵テレビやＣＳ（Ｃｏｍｍｕｎｉｃａｔｉｏｎ  Ｓａｔｅｌｌｉｔｅ）内蔵テレビでの使用に活用できる。
【図面の簡単な説明】
【００７２】
【図１】本発明のデジタル衛星放送受信用ＩＣの実施例１を示す断面図である。
【図２】本発明のデジタル衛星放送受信用ＩＣの実施例２を示す断面図である。
【図３】本発明のデジタル衛星放送受信用ＩＣの実施例３を示す断面図である。
【図４】本発明のデジタル衛星放送受信用ＩＣの実施例４を示す断面図である。
【図５】本発明のデジタル衛星放送受信用ＩＣの実施例５を示す断面図である。
【図６】本発明のデジタル衛星放送受信用ＩＣの実施例６を示す断面図である。
【図７】本発明のデジタル衛星放送受信用ＩＣの実施例７を示す断面図である。
【図８】本発明のデジタル衛星放送受信用ＩＣの実施例８を示す断面図である。
【図９】本発明のデジタル衛星放送受信用ＩＣの実施例９を示す断面図である。
【図１０】本発明のデジタル衛星放送受信用ＩＣの実施例１０を示す断面図である。
【図１１】本発明のデジタル衛星放送受信用ＩＣの実施例１１を示す断面図である。
【図１２】従来のデジタル衛星放送受信用ＩＣの一例を示す断面図である。
【図１３】従来のデジタル衛星放送受信用ＩＣのチップ内部の回路ブロック構成の一例を示すブロック図である。
【符号の説明】
【００７３】
１  チップ
２  ステージ
３  モールド樹脂部
４  Ａｕワイヤ
５  端子リード
５ａ  ＧＮＤ端子
６  金属ケース
７  絶縁体
９  ミキサー回路
１０  ＶＣＯ回路
【図１】
2005136209.tif 000003
【図２】
2005136209.tif 000004
【図３】
2005136209.tif 000005
【図４】
2005136209.tif 000006
【図５】
2005136209.tif 000007
【図６】
2005136209.tif 000008
【図７】
2005136209.tif 000009
【図８】
2005136209.tif 000010
【図９】
2005136209.tif 000011
【図１０】
2005136209.tif 000012
【図１１】
2005136209.tif 000013
【図１２】
2005136209.tif 000014
【図１３】
2005136209.tif 000015